(57)【特許請求の範囲】
【請求項１】
液槽内に浸漬されるポンプ本体と、
このポンプ本体に設けられ液体を吐出させる吐出管と、
上記吐出管に設けられた摺動体と、
上記吐出管の吐出側の外周上部に設けられた係止部と、
前記液槽内に支持体を介して固定的に設けられ、前記吐出管の吐出側端面が接離自在に接合される端面を有する導管と、
上記導管に設けられ、上記摺動体がスライド自在に連結されたガイド部と、
上記導管に設けられ、前記導管の端面に前記吐出管の端面が接合された場合に前記吐出管の係止部が係脱自在に係止されて保持される保持部と、
前記吐出管の吐出側の接合面に形成された環状溝にはめ込まれ、上記導管に当接した場合に弾性変形する薄肉の円錐形状のリップ部を有する弾性体からなるシール材と、
前記吐出管の先端側の下部に突設された突起部と、
前記支持体に形成され前記導管の端面に前記吐出管の端面が接合されたとき前記突起部と係脱自在に係合する係合部とを具備し、
上記シール材は、先端部が上記吐出管内へ向くリップ部を有してなり、
上記吐出管は、出口付近にその出口付近の内径が前記ポンプ本体側から出口に向かい次第に傾きながら拡大して前記リップ部を上記吐出管内に露出させる内径拡大部を有していることを特徴とする脱着式水中ポンプ装置。
【発明の詳細な説明】
【０００１】
【産業上の利用分野】
本発明は、脱着式水中ポンプ装置に係わり、特に、その配管接続部の改良に関する。
【０００２】
【従来の技術】
従来の脱着式水中ポンプ装置としては、図４および図５に示すようなものが知られている。
すなわち、図中１は汚水、汚物などの液槽内に設けられる支持体であり、この支持体１にはガイドパイプ２が支持されているとともに、導管３が固定的に支持されている。前記導管３の端部には他の吐出パイプが連結されており、この吐出パイプは液槽の上方外部に延出されている。
【０００３】
また、図中４は液槽内に浸漬されるポンプ本体であり、このポンプ本体４はロープ５により吊り下げられているとともに、摺動体６を介して上記ガイドパイプ２にスライド自在に連結されており、液槽内を上下方向に案内移動されるようになっている。
【０００４】
上記ポンプ本体４には吐出管７が接続されており、この吐出管７の吐出側端面の上部には係止爪８が形成されている。上記導管３の一端上部側には上記係止爪８が係脱自在に係止される保持部９が突設されている。
【０００５】
水中ポンプの使用時には、ロープ５に吊り下げられたポンプ本体４をガイドパイプ２に沿って液槽内に下降させる。ポンプ本体４が所定量下降されると、その吐出管７に形成された係止爪８が導管３に形成された保持部９に係止され、このときの重量によるモーメントにより、吐出管７の吐出側端面が導管３の端面に当接されて接続される。このように、吐出管７と導管３が接続された状態で、ポンプが駆動されると、液槽内の液体が矢印で示すようにポンプ本体４内に吸引されたのち、吐出管７から吐出される。この吐出された液体は導管３およびこれに接続された吐出パイプを介して液槽の外部に送り出される。
【０００６】
【発明が解決しようとする課題】
しかしながら、従来においては、ポンプ本体がたとえば、樹脂材料により構成される軽量タイプのものである場合には、ポンプ重量によるモーメントが小さいため、ポンプの吐出圧力により吐出管７が浮き上がる虞がある。吐出管７が浮き上がると、その吐出端面が導管３の端面から離間して隙間Ｓができ、この隙間Ｓから液体が漏れ出てしまい吸引効率が低下するという不都合があった。
【０００７】
なお、特開平６ー１８５４９２号に開示されるように、ポンプ本体の吐出口と導管との間にゴム製のベローズを設けて液体の漏れを防止する方法があるが、軽量ポンプの場合には、やはり、吐出口が浮き上がり、ゴムベローズが傾いて完全にシールができないという問題がある。
【０００８】
そこで、本発明は、吐出管と導管の接続部から漏れが生じるのを完全に防止してこれら吐出管と導管との間の水密状態を確実に維持できるようにした脱着式水中ポンプ装置を提供することを目的とする。
【０００９】
【課題を解決するための手段】
上記課題を解決するため、請求項１の発明は、液槽内に浸漬されるポンプ本体と、このポンプ本体に設けられ液体を吐出させる吐出管と、上記吐出管に設けられた摺動体と、上記吐出管の吐出側の外周上部に設けられた係止部と、前記液槽内に支持体を介して固定的に設けられ、前記吐出管の吐出側端面が接離自在に接合される端面を有する導管と、この導管に設けられ、上記摺動体がスライド自在に連結されたガイド部と、上記導管に設けられ、前記導管の端面に前記吐出管の端面が接合された場合に前記吐出管の係止部が係脱自在に係止されて保持される保持部と、前記吐出管の吐出側の接合面に形成された環状溝にはめ込まれ、上記導管に当接した場合に弾性変形する薄肉の円錐形状のリップ部を有する弾性体からなるシール材と、前記吐出管の先端側の下部に突設された突起部と、前記支持体に形成され前記導管の端面に前記吐出管の端面が接合されたとき前記突起部と係脱自在に係合する係合部とを具備し、上記シール材は、先端部が上記吐出管内へ向くリップ部を有してなり、上記吐出管は、出口付近にその出口付近の内径が前記ポンプ本体側から出口に向かい次第に傾きながら拡大して前記リップ部を上記吐出管内に露出させる内径拡大部を有していることにある。
【００１１】
【作用】
請求項１の発明によれば、吐出管の突起部と支持体の係合部とが係合されるために、吐出管の浮き上がりが防止される。しかも、弾性体からなるシール部材の円錐形リップ部が導管の接合面に当接するので、ポンプ駆動時の吐出管が吐出圧力を受けた時に生じる僅かな隙間、製造上の寸法誤差による吐出管と導管との間の隙間、あるいは接合面の面粗さ等により吐出管の端面と導管の端面との間に生じる僅かな隙間等が発生しても、これら隙間からの漏れを防止する。
【００１２】
また吐出管は出口付近の内径が拡大されており、吐出管と導管の接続部における水密状態を一層確実に維持し得る。
【００１３】
【実施例】
以下、本発明を図１ないし図３に示す一実施例を参照して説明する。
図１は脱着式水中ポンプ装置を示すもので、図中１１は汚水、汚物などの液槽（図示しない）内に設けられる支持体である。
【００１４】
上記支持体１１にはガイドパイプ１２が取着されているとともに、導管１３が固定的に支持されている。前記導管１３の端部には図示しない他の吐出パイプが連結されており、この吐出パイプは液槽の上方外部に延出されている。
【００１５】
図中１４は液槽内に浸漬されるポンプ本体であり、このポンプ本体１４はロープ１５により吊り下げられているとともに、吐出管１７が接続され、この吐出管１７は摺動体１６を備え、この摺動体１６を介して上記ガイドパイプ１２にスライド自在に連結され、ポンプ本体１４が液槽内を上下方向に案内されるようになっている。
【００１６】
この吐出管１７の吐出側端部の上部には係止部としての係止爪１８が形成されている。
上記導管１３の一端上部側には上記係止爪１８が係脱自在に係止される保持部１９が突設されており、この保持部１９に吐出管１７の係止爪１８が係止されたとき、吐出管１７の吐出端面が、導管１３の流入端面に密着されて接続されるようになっている。
【００１７】
一方、上記吐出管１７の先端側の下部には突起部２１が一体に突設されているとともに、上記支持体１１には上記導管１３の突起部２１が係脱自在に係合される係合部２２が一体的に形成されている。上記支持体１１の係合部２２と吐出管１７の突起部２１との係合により、後述するように吐出管１７の動きが規制されるようになっている。
【００１８】
さらに吐出管１７の吐出端面には、図３に示すように吐出口の開口縁に位置して環状溝２３が設けられており、この環状溝２３には例えばゴムや合成樹脂、金属などのような弾性体からなるシール部材２４が取り付けられている。このシール部材２４は環状形をなしており、一側面に円錘形のリップ部２５が形成されている。この円錐形リップ部２５は導管１３に当接して弾性変形し、中間付近まで押し戻されることにより導管１３との隙間を無くしている。なお、シール部材２４は環状溝２３に、例えばビス２６などによって固定されている。
さらに、上記吐出管１７の吐出通路は吐出側の端部、すなわち環状溝２３付近において、内径２７が拡大されている。
【００１９】
このような水中ポンプを使用する場合、ロープ１５に吊られたポンプ本体１４がガイドパイプ１２に沿って液槽内に下降される。ポンプ本体１４が所定量下降されると、図２に示すように、その吐出管１７に形成された係止片１８が導管１３に形成された保持部１９に係止されるとともに、吐出管１７と導管１３が連結されるとともに吐出管１７の突起部２１と支持体１１の係合部２２とが係合される。このため吐出管１７の浮き上がりが防止される。
【００２０】
このような連結状態では、環状溝２３にはめ込まれたシール部材２４のリップ部２５が、導管１３の接合面側に押し付けられ、これにより水密が保たれている。このようにして、吐出管１７と導管１３とが接続されたのちポンプが駆動されると、この駆動により、液体が矢印で示すようにポンプ本体１４内に吸引されたのち、吐出管１７から吐出される。この吐出された液体は導管１３を介して液槽の外部に導かれる。
【００２１】
ところで、上記ポンプの駆動時には、液体の吐出圧力が吐出管１７に作用する。この吐出圧力の作用により、ポンプ本体１４がたとえば樹脂材料により成形されて軽量である場合には、吐出管１７が、その係止爪１８が係止される保持部１９を中心として回動し、その端面が導管１３の端面から離間する方向へ移動しようとするが、上記したように、吐出管１７の突起部２１と支持体１１の係合部２２とが係合されているため吐出管１７の浮き上がりが防止される。このため吐出管１７の動きが規制される。また、上記の回転モーメントのために吐出管１７の端面と導管１３の端面との間に僅かな隙間が形成されようとするが、シール部材２４のリップ部２５が導管１３の端面に押し付けられているので水密を保つことができる。しかも、吐出管１７の環状溝２３付近の内径２７が拡大されているので、この部分に水流が生じる。したがってシール部材２４のリップ部２５は水圧を受けて導管１３の接合面側に押し付けられ、これにより一層水密が保たれる。ポンプ運転時にはその吐出圧力により、上記シール部材２４の円錐形リップ部が導管の接合面側に押し付けられ、より一層水密度が保てる。
【００２２】
また、製造上の寸法誤差による吐出管１７の突起部２１と支持体１１の係合部２２との隙間分の浮き上がり、あるいは接合面の面粗さ等により吐出管１７の端面と導管１３の端面との間に僅かな隙間が形成されることがある。
しかし、シール部材２４が上記のように密着されて接続されるので、接合面からの水漏れを防止し、完全なシールが可能となる。
【００２３】
したがって、吐出管１７の端面と導管１３の端面との間から液体が漏れ出ることがなく、良好に吸引し、排出することができる。
なお、ポンプの使用後は、ポンプ本体１４を上方へ持ち上げて液槽内から外部に取り出す。ポンプ本体１４を上方へ持ち上げると、その吐出管１７の係止爪１８が導管１３の突起部１９から外れるとともに、吐出管１７の突起部２１が支持体１１の係合部２２から離脱される。
なお、本発明は上記一実施例に限られず、種々変形実施可能なことは勿論である。
【００２４】
【発明の効果】
本発明は以上説明したように、吐出管の突起部と支持体の係合部とが係合されるために、吐出管の浮き上がりが防止される。しかも、弾性体からなるシール部材の円錐形リップ部が導管の接合面に当接するので、ポンプ駆動時の吐出管が吐出圧力を受けた時に生じる僅かな隙間、製造上の寸法誤差による吐出管と導管との間の隙間、あるいは接合面の面粗さ等により吐出管の端面と導管の端面との間に生じる僅かな隙間等が発生しても、これら隙間からの漏れを防止する。したがって、良好な水密状態を保つことができる。
【００２５】
このようなことから、ポンプ本体が軽量タイプのものであっても、その吐出管の端面と導管の端面との間から液体が漏れ出ることがなく、良好なポンプ作用を奏することができる。
【図面の簡単な説明】
【図１】本発明の一実施例である脱着式水中ポンプ装置のポンプ本体を液槽内に下降させる工程および液槽上に上昇させる工程を示す説明図。
【図２】図１の脱着式水中ポンプ装置のポンプ本体の吐出管と導管の端面が互いに接合された状態を示す図。
【図３】図２のＡ部を拡大して示すシール部材の詳細な構成を示す図。
【図４】従来の脱着式水中ポンプ装置の吐出管と導管の接続構造を示す構成図。
【図５】図４の脱着式水中ポンプ装置の平面図。
【符号の説明】
１１…支持体
１２…ガイドパイプ
１３…導管
１４…ポンプ本体
１５…ロープ
１６…摺動体
１７…吐出管
１８…係止爪（係止部）
１９…保持部
２１…突起部
２２…係合部
２３…環状溝
２４…シール部材
２５…リップ部
２６…ビス
２７…内径拡大部
【図１】
0003599826.tif 000002
【図２】
0003599826.tif 000003
【図３】
0003599826.tif 000004
【図４】
0003599826.tif 000005
【図５】
0003599826.tif 000006